(57)【特許請求の範囲】
【請求項１】
居室の出入り口のドア枠（２）と、該ドア枠（２）で開閉するドア（３）との間に取り付けられるドア用ヒンジ（１）であって、
前記ドア枠（２）に取り付けられる、上方に向けて開口部（５ｃ）を形成した上向き半ケース部（５ｄ）を有する下ヒンジ部（５）と、
前記ドア（３）に取り付けられる、前記上向き半ケース部（５ｄ）の開口部（５ｃ）と向かい合うように、下方に向けて開口部（６ｃ）を形成した下向き半ケース部（６ｄ）を有する上ヒンジ部（６）と、
前記下ヒンジ部（５）の上向き半ケース部（５ｄ）と、前記上ヒンジ部（６）の下向き半ケース部（６ｄ）の間に着脱自在に挟まれるスラストベアリング（７）と、を備え、
前記スラストベアリング（７）の下側が前記下ヒンジ部（５）の上向き半ケース部（５ｄ）内に嵌合し、該スラストベアリング（７）の上側が前記上ヒンジ部（６）の下向き半ケース部（６ｄ）内に嵌合し、
該スラストベアリング（７）により、前記上ヒンジ部（６）の軸方向に作用する荷重を受け、前記下ヒンジ部（５）において該上ヒンジ部（６）が円滑に回動するように構成し、
前記下ヒンジ部（５）の上向き半ケース部（５ｄ）と、前記上ヒンジ部（６）の下向き半ケース部（６ｄ）に配線（Ｃ）を挿通させる配線挿通孔（５e、６e）をそれぞれ開けた、ことを特徴とするドア用ヒンジ。
【請求項２】
前記上ヒンジ部（６）の下向き半ケース部（６ｄ）に、前記スラストベアリング（７）の中心孔（７ｃ）に差し込めるように突出軸（６ｆ）を下方に向けて形成した、ことを特徴とする請求項１のドア用ヒンジ。
【請求項３】
前記突出軸（６ｆ）に、配線（Ｃ）を挿通させる配線挿通管（６ｇ）を形成した、ことを特徴とする請求項２のドア用ヒンジ。
【発明の詳細な説明】
【技術分野】
【０００１】
本発明は、主に住宅において使用されるドアに用いるヒンジに係り、特に金属製、ミラー付きあるいはガラス製のような重量のあるドアに用いられるドア用ヒンジに関する。
【背景技術】
【０００２】
一般的な住宅におけるドア５１は、図１２の正面図と図１３の平面図に示すように、ドア枠に平蝶番のようなヒンジ５２で開閉自在に取り付けられる。このようなドア５１はレバーハンドル５３で開閉するようになっている。また、図１４の平面図に示すようにピボットヒンジ６１のように、ドア５１の上下端に取り付けられるヒンジも使用されている。
【０００３】
このピボットヒンジについては、例えば特許文献１の特開２００８−１２１３４２号公報「ピボットヒンジ」に、ドアに固定されるドアブラケットと、ドア枠に固定される枠ブラケットとを有し、前記ドアブラケットの張出部に、内周に環状突部を有する外筒を、その軸方向をドア上下方向に向けた状態で、ドア厚方向を含む面内の一方向に位置調整可能に取り付け、この外筒の内側の環状突部よりもドア外方側に、内周に雌ねじ部を有する内筒を、その軸方向をドア上下方向に向けた状態で、ドア厚方向を含む面内で外筒の位置調整可能方向と直交する方向に位置調整可能かつドア上下方向に移動可能に配して、この内筒と前記外筒の環状突部との間に、内筒をドア外方側へ付勢するばねを配し、外周に雄ねじ部を有するピボット軸を、その先端側で前記内筒にねじ結合させて前記外筒に挿通し、このピボット軸の後端側に、前記外筒の環状突部と係合してピボット軸を抜け止めするナットをねじ結合させるとともに、前記枠ブラケットの張出部に、前記ピボット軸の先端部を回動自在に支持する軸受部を設けたピボットヒンジが提案されている。
【先行技術文献】
【特許文献】
【０００４】
【特許文献１】特開２００８−１２１３４２号公報
【発明の概要】
【発明が解決しようとする課題】
【０００５】
しかし、最近の室内のドアには、金属製、ミラー付きあるいはガラス製のような重量のあるドアが用いられるようになった。従来の平蝶番のようなヒンジ５２又はピボットヒンジ６１では、このような重量物を支えられず、ドア５１を円滑に開閉させることができないという問題を有していた。
【０００６】
従来のドア５１であっても、これにガラス製のミラー又はテレビのモニター画面を取り付けると、重量的に同じ素材のドアと比較して重たくなる。例えば、図１３の平面図に示すように、ドア５１の重心部分（板材の中心部）と、ヒンジ５２の回動中心（ＣＬ１）とは位置がずれている（ｄ１）。ピボットヒンジ６１の場合は図１４の平面図に示すように、ドア５１の重心部分（板材の中心部）と、ピボットヒンジ６１の回動中心（ＣＬ２）とは位置が大きくずれている（ｄ２）。このずれにより、ドア５１の円滑な開閉を阻害していた。
【０００７】
このようなドア５１にテレビを取り付けると電源用コード、ケーブルなど配線が必要になる（図示していない）。この配線をドア５１から外部へ引き出す。平蝶番のヒンジ５２又はピボットヒンジ６１ではドア５１の開閉の度に、配線が大きく折れ曲がり、最悪の場合は切断するといった問題を有していた。
【０００８】
更に、ドア５１を閉める際に、閉めるレバーハンドル５３がある縦側縁は注意するが、ヒンジ５２（ピボットヒンジ６１）が取り付けられている縦側縁３ａは注意を怠りやすく、指を挟む事故が生じやすい。特に、図１３と図１４に示すように、ドア枠２とドア５１との間に大きな隙間Ｘができると、ここに指を挟みやすいという問題を有していた。
【０００９】
本発明は、かかる問題点を解決するために創案されたものである。すなわち、本発明の目的は、ドアの回動中心点がそのドアの内部に位置するようにヒンジを取り付けることで、重量のあるドアを円滑に開閉させることができるドア用ヒンジを提供することにある。
【課題を解決するための手段】
【００１０】
本発明は、居室の出入り口のドア枠（２）と、該ドア枠（２）で開閉するドア（３）との間に取り付けられるドア用ヒンジ（１）であって、
前記ドア枠（２）に取り付けられる、上方に向けて開口部（５ｃ）を形成した上向き半ケース部（５ｄ）を有する下ヒンジ部（５）と、
前記ドア（３）に取り付けられる、前記上向き半ケース部（５ｄ）の開口部（５ｃ）と向かい合うように、下方に向けて開口部（６ｃ）を形成した下向き半ケース部（６ｄ）を有する上ヒンジ部（６）と、
前記下ヒンジ部（５）の上向き半ケース部（５ｄ）と、前記上ヒンジ部（６）の下向き半ケース部（６ｄ）の間に着脱自在に挟まれるスラストベアリング（７）と、を備え、
前記スラストベアリング（７）の下側が前記下ヒンジ部（５）の上向き半ケース部（５ｄ）内に嵌合し、該スラストベアリング（７）の上側が前記上ヒンジ部（６）の下向き半ケース部（６ｄ）内に嵌合し、
該スラストベアリング（７）により、前記上ヒンジ部（６）の軸方向に作用する荷重を受け、前記下ヒンジ部（５）において該上ヒンジ部（６）が円滑に回動するように構成し、
前記下ヒンジ部（５）の上向き半ケース部（５ｄ）と、前記上ヒンジ部（６）の下向き半ケース部（６ｄ）に配線（Ｃ）を挿通させる配線挿通孔（５e、６e）をそれぞれ開けた、ことを特徴とする。
【００１１】
前記上ヒンジ部（６）の下向き半ケース部（６ｄ）に、前記スラストベアリング（７）の中心孔（７ｃ）に差し込めるように突出軸（６ｆ）を下方に向けて形成することができる。
前記突出軸（６ｆ）に、配線（Ｃ）を挿通させる配線挿通管（６ｇ）を形成することができる。
【発明の効果】
【００１２】
上記構成のドア用ヒンジ（１）では、重量のあるドア（３）であっても、その回動中心点（ＣＬ）がドア（３）の内部になるようにドア用ヒンジ（１）が支持することで、このドア（３）を円滑に開閉させることができる。更に、このドア用ヒンジ（１）にはスラストベアリング（７）を用いたので、上ヒンジ部（６）の軸方向に作用する荷重を受けることで、この上ヒンジ部（６）が下ヒンジ部（５）において円滑に回動することにより、重たいドア（３）であっても円滑に開閉させることができる。
ドア（３）の回動中心点（ＣＬ）と、ドア用ヒンジ（１）の回動中心点（ＣＬ）が同一線上にあるため、ドア（３）の縦側縁（３ａ）を横断面形状で半円形状にすれば、ドア（３）をドア枠（２）の縦枠（２ａ）に近づけても、このドア（３）の開閉に際して、指を挟むといった事故を防止することができる。
【００１３】
また、ドア（３）にテレビなどを設けたときは、その電源用コード、ケーブルなど配線（Ｃ）をこのドア（３）から引き出す必要がある。ドア（３）の回動中心点（ＣＬ）に取り付けられたドア用ヒンジ（１）の配線挿通孔（５ｅ）から配線（Ｃ）を、ドア枠（２）側へ引き出すことができるので、ドア（３）の開閉毎に配線（Ｃ）が折れ曲がることを防止することができる。
【００１４】
スラストベアリング（７）は、上輪（外輪）（７ａ）と下輪（内輪）（７ｂ）の間において球、コロなどの転動体が保持器により一定の間隔が保たれて転がるようになっている。この上輪（７ａ）と下輪（７ｂ）の中心孔（７ｃ）に、上ヒンジ部（６）の突出軸（６ｆ）を差し込むことにより、ドア（３）がドア用ヒンジ（１）から外れるおそれを防止することができる。
この突出軸（６ｆ）に配線挿通管（５ｇ）を形成することにより、配線（Ｃ）をドア（３）からドア枠（２）側へ、折り曲げることなく引き出すことができる。
【図面の簡単な説明】
【００１５】
【図１】本発明のドア用ヒンジを取り付けたドアを示す正面図である。
【図２】本発明のドア用ヒンジを分解した状態を示す拡大正面図である。
【図３】本発明のドア用ヒンジの各部品を示し、（ａ）は上ヒンジ受けの拡大底面図、（ｂ）はベアリングの拡大平面図、（ｃ）は下ヒンジ受けの拡大平面図である。
【図４】上ヒンジ受けと下ヒンジ受けとでベアリングを挟む状態を示す正面図である。
【図５】上ヒンジ受けと下ヒンジ受けとでベアリングを挟んだ状態を示す正面図である。
【図６】本発明のドア用ヒンジを取り付けたドアを開閉する状態を示す平面図である。
【図７】実施例１のドア用ヒンジの変形例を示し、（ａ）は上ヒンジ部の拡大底面図、（ｂ）は下ヒンジ部の拡大平面図である。
【図８】実施例１のドア用ヒンジの変形例に配線を挿通させた状態を示す正面図である。
【図９】実施例２のドア用ヒンジを示し、（ａ）は上ヒンジ部と下ヒンジ部とでスラストベアリングを挟む状態を示す正面図、（ｂ）は上ヒンジ部の拡大底面図である。
【図１０】実施例２の変形例であり、ドア用ヒンジの突出軸に配線挿通管を形成した状態を示し、（ａ）は上ヒンジ部と下ヒンジ部とでスラストベアリングを挟む状態を示す正面図、（ｂ）は上ヒンジ部の拡大底面図である。
【図１１】実施例２のドアの上側に取り付けられる上側ヒンジをドア枠に取り付ける状態を示す正面図である。
【図１２】従来のヒンジを取り付けたドアを示す正面図である。
【図１３】従来の平蝶番を取り付けたドアを開閉する状態を示す平面図である。
【図１４】従来のピボットヒンジを取り付けたドアを開閉する状態を示す平面図である。
【発明を実施するための形態】
【００１６】
本発明のドア用ヒンジは、ドア枠に取り付けられる下ヒンジ部と、ドアに取り付けられる上ヒンジ部と、この下ヒンジ部の上向き半ケース部と上ヒンジ部の下向き半ケース部の間に着脱自在に挟まれるスラストベアリングとを備えたヒンジである。
【実施例１】
【００１７】
以下、本発明の実施例について図面を参照して説明する。
図１は本発明のドア用ヒンジを取り付けたドアを示す正面図である。
実施例１のドア用ヒンジ１は、居室の出入り口のドア枠２と、このドア枠２で開閉するドア３との間に取り付けるヒンジである。本発明のドア用ヒンジ１は、主にドア３の下側を支持するように取り付けられる。ドア３の上側にも上側ヒンジ４が取り付けられる。本発明のドア用ヒンジ１と上側ヒンジ４は、ドア３の縦側縁３ａの上下端を挟むように取り付けられる。即ち、両ヒンジ１，４の回動中心部分ＣＬがドア３の縦側縁３ａの内部に位置する。そのため、ドア枠２の縦枠２ａの縦側縁が平面のときは、このドア３の縦側縁３ａは横断面形状を半円形状にする（図６の平面図参照）。
【００１８】
＜ベアリングを用いたドア用ヒンジの構成＞  
図２は本発明のドア用ヒンジを分解した状態を示す拡大正面図である。図３は本発明のドア用ヒンジの各部品を示し、（ａ）は上ヒンジ受けの拡大底面図、（ｂ）はベアリングの拡大平面図、（ｃ）は下ヒンジ受けの拡大平面図である。図４は上ヒンジ受けと下ヒンジ受けとでベアリングを挟む状態を示す正面図である。図５は上ヒンジ受けと下ヒンジ受けとでベアリングを挟んだ状態を示す正面図である。
実施例１のドア用ヒンジ１は、ドア枠２に取り付けられる下ヒンジ部５とドア３の底部に取り付けられる上ヒンジ部６と、この間に挟まれて両者を回動させるベアリング７とから成るヒンジである。本発明のドア用ヒンジ１は、主に重量のあるドア３を下から支持する構成のヒンジであるので、ベアリングにはスラストベアリング７を用いた。
【００１９】
この下ヒンジ部５は、図２と図３（ｃ）に示すように、ドア枠２に取り付けるねじ孔５ａが開けられた縦板部５ｂと、この縦板部５ｂに連結して上方に向けて開口部５ｃを有する上向き半ケース部５ｄとから成る部材である。なお、図示例では縦板部５ｂを設けた状態を示しているが、この形状に限定されず、例えば横板部にすることも可能である。
【００２０】
上ヒンジ部６は、図２と図３（ａ）に示すように、ドア３の底部に取り付けられるねじ孔６ａが開けられた横板部６ｂと、この横板部６ｂの一部に下方に向けて開口部６ｃを有する下向き半ケース部６ｄとから成る部材である。下向き半ケース部６ｄは、上向き半ケース部５ｄと共に、スラストベアリング７を上下から着脱自在に挟むように嵌合するため、それぞれの内部はスラストベアリング７の外面とほぼ同様な形状にする。例えば浅い円筒形状にすることができる。
【００２１】
このように構成された下ヒンジ部５の上向き半ケース部５ｄの開口部５ｃと、上ヒンジ部６の下向き半ケース部６ｄの開口部６ｃの間に、スラストベアリング７を挟む。スラストベアリング７は、図２と図３（ｂ）に示すように、回転体の軸方向に働く力（スラスト、推力）を受け止める軸受である。このスラストベアリング７には、自動調心ころを用いるスラスト自動調心ころベアリング以外に、ボールを用いるボールスラストベアリング、円筒ローラを用いる円筒ローラスラストベアリングなどの様々な形態のベアリングを用いることができる。本発明ではこれらのスラストベアリング７を自由に交換できるので、ドア３の重量に応じて最適なスラストベアリング７を組み込むことができる。
【００２２】
スラストベアリング７の上側（上輪（外輪））７ａが上ヒンジ部６に嵌合し、スラストベアリング７の下側（下輪（内輪））７ｂが下ヒンジ部５に嵌合して、スラストベアリング７により、上ヒンジ部６の軸方向に作用する荷重を受け、下ヒンジ部５において上ヒンジ部６が円滑に回動することができる。
【００２３】
図６は本発明のドア用ヒンジを取り付けたドアを開閉する状態を示す平面図である。
本発明のドア用ヒンジ１では、上ヒンジ部６に支えられているドア３をレバーハンドル８を用いて円滑に開閉することができる。しかも、ドア用ヒンジ１は、ドア３の下側から支持する構造になるので、重たいドア３であっても容易に支持することができ、ドア３を円滑に開閉させることができる。
また、図示するように、ドア３の回動中心部分と、ドア用ヒンジ１の回動中心点ＣＬが同一線上にあるため、ドア３の縦側縁３ａを横断面形状で半円形状にすれば、ドア３をドア枠２の縦枠２ａに近づけると共に、このドア３の開閉に際して、指を挟むといった事故を防止することができる。
【００２４】
＜ドアの取り付けと取り外し方法＞  
本発明のドア用ヒンジ１は上述した構成であるため、図１の矢示線１のように、ドア３の上側ヒンジ４をドア枠２の回動用孔３１ｂに差し込む。次に、ドア３を更に上方へ持ち上げ、本発明のドア用ヒンジ１の上ヒンジ部６が、下ヒンジ部５内のスラストベアリング７の上部にきたら、図１の矢示線２のように、ドア３をそのまま下げ、上ヒンジ部６と下ヒンジ部５を嵌合させて取り付けが完了する。
【００２５】
外すときは、ドア３を回転中心線方向ＣＬに持ち上げ、上ヒンジ部６が下ヒンジ部５から外れたら、ドア３の下部を傾斜させ、上側ヒンジ４をドア枠２から外せばよい。本発明のドア用ヒンジ１によれば、非常に簡単かつ迅速に取り付け、取り外すことができる。
【００２６】
＜実施例１の変形例、配線用孔を有するドア用ヒンジの構成＞
図７は施例１のドア用ヒンジの変形例を示し、（ａ）は上ヒンジ部の拡大底面図、（ｂ）は下ヒンジ部の拡大平面図である。図８は実施例１のドア用ヒンジの変形例に配線を挿通させた状態を示す正面図である。
実施例１の変形例のドア用ヒンジ１は、下ヒンジ部５の上向き半ケース部５ｄと、上ヒンジ部６の下向き半ケース部６ｄに配線Ｃを挿通させる配線挿通孔５ｅ、６ｅをそれぞれ開けた。例えばドア３にテレビなどを設けたときは、その電源用コード、ケーブルなど配線Ｃをこのドア３から引き出す必要がある。ドア３の回動中心部分に取り付けられたドア用ヒンジ１の配線挿通孔５ｅ、６ｅからドア枠２側へ引き出すことができるので、ドア３の開閉毎に配線Ｃが折れ曲がることを防止することができる。
【実施例２】
【００２７】
＜実施例２のドア用ヒンジの構成＞  
図９は実施例２のドア用ヒンジを示し、（ａ）は上ヒンジ部と下ヒンジ部とでスラストベアリングを挟む状態を示す正面図、（ｂ）は上ヒンジ部の拡大底面図である。
実施例２のドア用ヒンジ２１は、上ヒンジ部６の下向き半ケース部６ｄに、スラストベアリング７の中心孔７ｃに差し込めるように突出軸６ｆを下方に向けて形成したヒンジである。この突出軸６ｆによりドア３がドア用ヒンジ２１（スラストベアリング７）から外れるおそれを防止することができる。下ヒンジ部５は、ドア枠２に取り付けるねじ孔が開けられた縦板部５ｂと、この縦板部５ｂに連結して上方に向けて開口部５ｃを有する上向き半ケース部５ｄとから成る部材である。
【００２８】
スラストベアリング７は、上輪（外輪）７ａと下輪（内輪）７ｂの間において球、コロなどの転動体が保持器により一定の間隔が保たれて転がるようになっている。この上輪７ａと下輪７ｂの中心孔７ｃに突出軸６ｆを差し込むことにより、上輪７ａと下輪７ｂの円滑に転がらすことができるので、上ヒンジ部６を下ヒンジ部５においてより安全に回動させることができる。
【００２９】
＜実施例２の変形例＞  
図１０は実施例２の変形例であり、ドア用ヒンジの突出軸に配線挿通管を形成した状態を示し、（ａ）は上ヒンジ部と下ヒンジ部とでスラストベアリングを挟む状態を示す正面図、（ｂ）は上ヒンジ部の拡大底面図である。
この実施例２の変形例のドア用ヒンジ２１でも突出軸６ｆに、その軸方向に配線Ｃを挿通させる配線挿通管６ｇを形成することができる。上ヒンジ部６の突出軸６ｆに配線挿通管６ｇを形成し、下ヒンジ部５の上向き半ケース部５ｄに挿通孔５ｇを開ける。配線挿通管６ｇに通した配線Ｃを挿通孔５ｇまで通して外部へ引き出すことができる。
【実施例３】
【００３０】
＜ドア上側ヒンジ（配線用ヒンジ）の構成＞
図１１は実施例２のドアの上側に取り付けられる上側ヒンジをドア枠に取り付ける状態を示す正面図である。
ドア３の上側に取り付けられる上側ヒンジ４は、図示するように、ドア枠２に取り付けられる上ヒンジ受け３１と、配線Ｃを通す挿通円筒部３２ａを有するドア３の上面に取り付けられるヒンジ突部３２とから成るヒンジである。
上ヒンジ受け３１はドア枠２に取り付けるねじ孔が開けられた平板部３１ａと、この平板部３１ａの中心に回動用孔３１ｂが開けられた部材である。ヒンジ突部３２はドア３の上部に取り付けられるねじ孔が開けられた平板部３２ｂと、この平板部３２ｂの一部にドア３の回動中心となる位置に配線Ｃを通す挿通円筒部３２ａを上方に向けて形成した部材である。この挿通円筒部３２ａの中心軸が、上述したドア用ヒンジ１，２１の回動中心線ＣＬと一致してドア３を円滑に開閉させるようになっている。
【００３１】
上側ヒンジ４は、この挿通円筒部３２ａから電源用コード、ケーブルなど配線Ｃをドア枠２側へ引き出すことができる。配線Ｃは、ドア３の開閉毎に、わずかに捩じられるが、配線Ｃが折れ曲げられることはない。そこで、従来のように、平蝶番と異なり、配線Ｃが折れ曲がらないので切断するといった不具合は生じない。
【００３２】
なお、本発明は、ドア３の回動中心点ＣＬがそのドア３の内部に位置するようにヒンジ１，２１を取り付けることで、重量のあるドア３を円滑に開閉させることができれば、上述した発明の実施の形態に限定されず、本発明の要旨を逸脱しない範囲で種々変更できることは勿論である。
【産業上の利用可能性】
【００３３】
本発明の重量のあるドア用ヒンジは、居間のドアに限定されず、店舗、オフィス、学校などに取り付けて利用することができる。
【符号の説明】
【００３４】
１  ドア用ヒンジ
２  ドア枠
３  ドア
５  下ヒンジ部
５ｃ  開口部
５ｄ  上向き半ケース部
５ｅ  配線挿通孔
６  上ヒンジ部
６ｃ  開口部
６ｄ  下向き半ケース部
６ｅ  配線挿通孔
６ｆ  突出軸
６ｇ  配線挿通管
Ｃ  配線
【要約】
【課題】ドアの回動中心点がそのドアの内部に位置するようにヒンジを取り付けることで、重量のあるドアを円滑に開閉させる。
【解決手段】ドア枠２に取り付けられる下ヒンジ部５，２２と、ドア３に取り付けられる上ヒンジ部６と、下ヒンジ部５の上向き半ケース部５ｄと、上ヒンジ部６の下向き半ケース部６ｄの間に着脱自在に挟まれるスラストベアリング７と、を備え、スラストベアリング７の下側が下ヒンジ部５の上向き半ケース部５ｄ内に嵌合し、スラストベアリング７の上側が上ヒンジ部６の下向き半ケース部６ｄに嵌合させ、スラストベアリング７により、上ヒンジ部６の軸方向に作用する荷重を受け、下ヒンジ部５において上ヒンジ部６が円滑に回動するように構成した。
【選択図】図２【図１】
0005936248.tif 000002
【図２】
0005936248.tif 000003
【図３】
0005936248.tif 000004
【図４】
0005936248.tif 000005
【図５】
0005936248.tif 000006
【図６】
0005936248.tif 000007
【図７】
0005936248.tif 000008
【図８】
0005936248.tif 000009
【図９】
0005936248.tif 000010
【図１０】
0005936248.tif 000011
【図１１】
0005936248.tif 000012
【図１２】
0005936248.tif 000013
【図１３】
0005936248.tif 000014
【図１４】
0005936248.tif 000015